(57)【特許請求の範囲】
【請求項１】
ベースマシーンの先端に、上部にスプロケット付きオイルモーター、下部にローラーを装備した支持枠体を取り付け、該支持枠体により支持された上部のスプロケットおよび下部のローラー間に架設した一対の攪拌翼付無端状のチェーンの回転により、土壌と改良材とを攪拌混合して地盤を改良する地盤改良機において、
施工基面にほぼ垂直又はやや斜めハの字状あるいは逆ハの字状の状態で当接する翼部を有する掘削翼と、施工基面に水平な状態で当接する翼部を有する攪拌翼に構成し、該掘削翼と攪拌翼とを前記一対のチェーンに左右で千鳥配置になるように適宜取付けたことを特徴とする地盤改良機。
【発明の詳細な説明】
【０００１】
【発明が属する技術分野】
この発明は攪拌翼付きチェーンを回転させて土壌と改良材とを攪拌混合して、地盤を改良する地盤改良機に関する。
【０００２】
【従来の技術】
従来、この種の地盤改良機は、バックホウなどの作動機の作動腕の先端に取り付ける支持枠体の上下部に、一対のスプロケットを配置するとともに、該上下スプロケット間に無端状のチェーンを架設し、また、その無端状のチェーンには攪拌翼が多数配置された構成からなり、、スプロケットの回転駆動によりチェーンを回動させるともに攪拌翼によって、固化材と土壌を攪拌混合し土壌の改良を行っている。
【０００３】
このような従来の地盤改良機は、チエーンに取付けられている各攪拌翼の翼部が、同一形状の一枚刃のため土壌の掘削効果はよいが、攪拌作用が十分でなく、固化材と土壌との攪拌混合効率も上がらないという問題があった。
そこで、土壌の攪拌混合効率を高めることのできる地盤改良機として、例えば、特開平８ー２７７７０号公報にみられるように、一対の無端状のチェーンに取付ける攪拌翼の前面に１または２以上の翼部を横方向で略翼部１個分の間隔を離して突設し、また、各翼部は縦方向で１つの攪拌翼における各翼部間に上下の隣り合う攪拌翼の翼部が位置するように構成する技術が開示されている。
【０００４】
【発明が解決しようとする課題】
しかし、図５に示すように，この一対の無端状のチェーン１０，１０に取り付けた攪拌翼（１１，１２，１３）の前面に１または２以上の翼部（１４，１５，１６）を、横方向で略翼部１個分の間隔を離して突設し、また、各翼部（１４，１５，１６）を縦方向で１つの攪拌翼における各翼部間上下の隣り合う攪拌翼の翼部が位置するように構成したものは  土壌の流れる部分（図５中の１７〜３６）が狭く、土壌が攪拌翼に付着し共回り現象が起こりやすく、安定した攪拌混合効果が望めないという問題がある。
この発明はこの問題点を解決するためになされたもので、安定した攪拌混合効率を得るための翼体のを設けた地盤改良機を提供するものである。
【０００５】
【課題を解決するための手段】
以上の問題を解決するために、この発明は、ベースマシーンの先端に、上部にスプロケット付きオイルモーター、下部にローラーを装備した支持枠体を取り付け、上下部のスプロケットおよびローラーに架設した一対の攪拌翼付無端状のチェーンを回転させて、土壌と改良材とを攪拌混合して地盤を改良する地盤改良機において、
施工基面にほぼ垂直又はやや斜めハの字状あるいは逆ハの字状の状態で当接する翼部を有する掘削翼と、施工基面に水平な状態で当接する翼部を有する攪拌翼に構成し、該掘削翼と攪拌翼とを前記一対のチェーンに左右で千鳥配置になるように適宜取付けた地盤改良機としたことである。
【０００６】
この発明は以上のような構成としたので、次の作用を奏する。
▲１▼  施工基面にほぼ垂直な状態で接する翼体を有する掘削翼及び、施工基面に水平な状態で接する翼体を有する攪拌翼を、チェーンに左右千鳥配置になるように取り付けるので、土壌の流れる部分が広くなり翼部への付着が減少し、共回り現象を防止する。
▲２▼  掘削翼及び攪拌翼を一対のチェーンに左右千鳥配置に取り付けるので、左右の翼体は、施工基面に交互に当接することとなり掘削トルクが小さくてすむ。
▲３▼  掘削翼の翼体が施工基面に垂直な状態で当接するので、効果的な掘削ができる。
▲４▼  種々な形状の翼体を有する掘削翼を、適宜組み合わせることにより、地中で土壌を切り崩すため、攪拌翼にかかる抵抗が小さくなり効果的な攪拌混合ができる。
▲５▼  掘削翼と攪拌翼を組み合わせることにより、土壌の流れが混合・分離を繰り返し、効果的な攪拌混合ができる。
【０００７】
【発明の実施の形態】
以下この発明の実施の形態を実施例に基づいて説明する。
図１はこの発明の地盤改良機本体の側面図、図２はその正面図、図３は掘削翼及び攪拌翼の一例を示す斜視図、図４は掘削翼及び攪拌翼のチエーンへの配置の一例を示す配置図であり、第５図は従来技術の攪拌翼の配置である。
【０００８】
図１及び図２において、ベースマシーン（図示せず）のアーム取り付け部１に、上部にスプロケット付きオイルモーター２、下部にローラー３を装備した支持枠体５を取り付け、またスプロケットとローラーの間に一対の無端状のチエーン４ａ，４ｂを装着する。
【０００９】
上記図１及び図２に示す一対の無端状チェーン４ａ，４ｂに掘削翼６及び攪拌翼７を取り付けるのであるが、掘削翼６は図３の（Ａ）に示すように、施工基面にほぼ垂直な状態で当接可能な翼体６ｂを、基板６ａに設けた掘削翼に構成する。一方、図３の（Ｂ）に示すように、攪拌翼７は基板７ａに施工基面に水平な状態で当接する形状の翼体７ｂを設けた形状に構成する。
なお、図３の（Ａ）に示すとおりの掘削翼に設ける翼体６ｂは施工基面にほぼ垂直な状態と説明したが、厳密な垂直翼体６ｂではなく図４に示すようにやや斜めのハの字上翼体６ｃあるいは、逆ハの字上翼体６ｄに形成する。
【００１０】
上記のように構成した掘削翼６及び攪拌翼７を一対の無端状チエーン４ａ，４ｂに適宜取り付けるのであるが、その取り付けの一例を図４に示すと、一方のチエーン４ａに翼体６ｃを有する掘削翼６を、その下方に翼体７ｂを有する攪拌翼７を、また、該攪拌翼７の下方に翼体６ｂを有する掘削翼６、翼体６ｄを有する掘削翼６を、また、翼体６ｃを有する掘削翼６をその下方に翼体７ｂを有する攪拌翼７をと順次配設していく。
【００１１】
他方の無端状チエーン４ｂには、翼体６ｄを有する掘削翼６を配置し、その下部に翼体６ｂを有する掘削翼６、翼体６ｃを有する掘削翼６を、その下部に翼体７ｂ有する攪拌翼７を，そ攪拌翼７の下方に翼体６ｂを有する掘削翼６配置するなどする。
【００１２】
上記のように掘削翼及び攪拌翼を配設した一対の無端状チエーン４ａ，４ｂは配置した掘削翼６あるいは攪拌翼７が、一方の掘削翼６あるいは攪拌翼７と齟齬する位置に他方の掘削翼６あるいは攪拌翼７を配置するもので、すなわち、左右チエーン４ａ，４ｂに、掘削翼あるいは攪拌翼を千鳥状に組み合わせの配置とする。
【００１３】
このように構成した地盤改良機のオイルモーター２を駆動させ、チェーン４ａ，４ｂを回転させて地盤中に貫入し、改良材を供給しながら掘削攪拌混合をおこなうものである。
この時、図４に示すように、土壌の流れが、混合分離を繰り返して、効率的な攪拌混合をおこなう。図４中に点線で表したものは、土壌の流れを摸式的に示したものであり、図中Ａはチェーンの回転方向を示したものである。
【００１４】
なお、本実施例は実施の一例を示したものであり、掘削翼６、攪拌翼７の形状や、組み合わせは本実施例に限定されるものではなく、本発明の思想を逸脱しない範囲で現場状況に合わせて、変形対応ができることは言うまでもない。
【００１５】
【発明の効果】
本発明の地盤改良機を使用して地盤改良を実施した結果、先の作用の項で述べた諸効果、すなわち、種々の形状をした翼体を有する掘削翼と攪拌翼を一対のチェーンに左右千鳥配置に取り付けるので、土壌の流れる部分が広くなり翼体への付着が減少し、共回り現象を防止することができること。
【００１６】
また、掘削翼および攪拌翼を一対の無端状のチェーンに左右千鳥配置に取り付けるので、左右の翼体は施工基面に交互に当接することとなり掘削トルクが小さくてすみ、さらに、掘削翼が施工基面に垂直な状態当接するので効果的な掘削ができること及び、種々な形状の掘削翼を組み合わせることにより、地中で土壌を切り崩すため、攪拌翼にかかる抵抗が小さくなり効果的な攪拌混合ができる。
【００１７】
掘削翼と攪拌翼を組み合わせることにより、土壌の流れが混合・分離を繰り返し効果的な攪拌混合ができるなど、非常に優れた攪拌混合効果を得ることができる。
【図面の簡単な説明】
【図１】この発明の地盤改良機本体の側面図である。
【図２】この発明の地盤改良機本体の正面図である。
【図３】この発明の地盤改良機翼体の一例を示す斜視図である。
【図４】この発明の翼体の配置の一例を示す配置図である。
【図５】従来技術の攪拌翼の配置である。
【符号の説明】
１．  アーム取り付け部
２．  スプロケット付きオイルモーター
３．  ローラー
４ａ．  チェーン
４ｂ．  チェーン
５．  支持枠体
６．  掘削翼
６ａ．  基板
６ｂ．  翼体
６ｃ．  ハ字状翼体
６ｄ    逆ハ字状翼体
７．  攪拌翼
７ａ．  基板
７ｂ．  翼体
Ａ．  回転方向
【図１】
0004051509.tif 000002
【図２】
0004051509.tif 000003
【図３】
0004051509.tif 000004
【図４】
0004051509.tif 000005
【図５】
0004051509.tif 000006